(57)【要約】【課題】本発明の課題は、利用者が出庫した保管品情報を、正確に把握する保管庫のシステム、および、その方法を提供することである。【解決手段】ＩＣカード開閉式保管庫から受信した開閉データ送信要求を受け付けて、利用者識別情報と保管庫を特定する情報とを含み、開錠状態、または、施錠状態の一方を有する開閉データを返信して、ＩＣカード開閉式保管庫から開閉データを受信して、記憶手段に記憶している開閉データを更新するＩＣカードと、ＩＣカードに、開閉データ送信要求を発行して、開閉データを受信して、開閉データが施錠状態を有すれば、開錠して、開錠状態の開閉データを作成して、送信して、また、施錠要求の入力を受け付けて、ＩＣカードから受信した開閉データが開錠状態を有すれば、施錠して、施錠状態の開閉データを作成して、送信するＩＣカード開閉式保管庫と、から構成される保管システムである。【選択図】図１
2007303136.tif 000002
【特許請求の範囲】
【請求項１】
接触型、または、非接触型のＩＣカードとＩＣカード開閉式保管庫とから構成される保管システムであって、
前記ＩＣカードは、
利用者識別情報と保管庫を特定する情報とを含み、開錠状態、または、施錠状態の一方を有する開閉データ
を記憶する記憶手段と、
ＩＣカード開閉式保管庫から受信した開閉データ送信要求を受け付けて、記憶手段に記憶する開閉データを返信する開閉データ返信手段と、
ＩＣカード開閉式保管庫から開閉データを受信する開閉データ受信手段と、
前記受信した開閉データを用いて、記憶手段に記憶している開閉データを更新する開閉データ更新手段と、
を備えるＩＣカードであって、
前記ＩＣカード開閉式保管庫は、
ＩＣカードに、開閉データ送信要求を発行する開閉データ送信要求手段と、
ＩＣカードから、開閉データを受信する開閉データ受信手段と、
前記ＩＣカードから受信した開閉データが施錠状態を有すれば、開錠する開錠手段と、
前記受信した施錠状態の開閉データを用いて、開錠状態の開閉データを作成する開錠データ作成手段と、
ＩＣカードに、前記作成した開閉データを送信する開閉データ送信手段と、
施錠要求の入力を受け付ける施錠要求受付手段と、
ＩＣカードから受信した開閉データが開錠状態を有すれば、施錠する施錠手段と、
前記受信した開錠状態の開閉データを用いて、施錠状態の開閉データを作成する施錠データ作成手段と、
を備える保管庫である、
ことを特徴とする保管システム。
【請求項２】
前記ＩＣカード開閉式保管庫は、ＩＣタグ識別情報を記憶するＩＣタグを有する保管品を保持して、
保管庫を特定する情報と保管品識別情報とを含む保管データと、
利用者識別情報と保管庫を特定する情報と保管品識別情報とを含む履歴データと、
を記憶する記憶手段と、
ＩＣカード開閉式保管庫内の保管品のＩＣタグが記憶するＩＣタグ識別情報を読み取るＩＣタグ読取手段と、
保管データと前記読み取ったＩＣタグ識別情報とを用いて、履歴データを作成して、記録する履歴作成記録手段と、
記憶手段に記憶されている保管データを削除して、読み取ったＩＣタグ識別情報を用いて作成した保管データを、記憶手段に記録する保管データ更新手段と、
を備える保管庫である、
ことを特徴とする請求項１に保管システム。
【請求項３】
利用者識別情報と保管庫を特定する情報とを含み、開錠状態、または、施錠状態の一方を有する開閉データを用いる保管方法であって、
開閉データ送信要求を発行して、開閉データを受け取る開閉データ受取ステップと、
前記受け取られた開閉データが施錠状態を有すれば、開錠する開錠ステップと、
前記受け取られた施錠状態の開閉データを用いて、開錠状態の開閉データを作成する開錠データ作成ステップと、
前記作成された開閉データを用いて、前記記憶された開閉データを更新する開閉データ更新ステップと、
施錠要求の入力を受け付ける施錠要求受付ステップと、
受け取られた開閉データが開錠状態を有すれば、施錠する施錠ステップと、
前記受け取られた開錠状態の開閉データを用いて、施錠状態の開閉データを作成する施錠データ作成ステップと、
を含んだ手順でなされることを特徴とする保管方法。
【請求項４】
ＩＣタグ識別情報を記憶するＩＣタグを有する保管品を用いる保管であって、
保管庫を特定する情報と保管品識別情報とを含む保管データと、
利用者識別情報と保管庫を特定する情報と保管品識別情報とを含む履歴データと、
を用いる保管であって、
前記保管品のＩＣタグが記憶するＩＣタグ識別情報を読み取るＩＣタグ読取ステップと、
保管データと前記読み取ったＩＣタグ識別情報とを用いて、履歴データを作成して、記録する履歴作成記録ステップと、
記憶されている保管データを削除して、前記読み取ったＩＣタグ識別情報を用いて作成した保管データを、記憶する保管データ更新ステップと、
を含んだ手順でなされることを特徴とする請求項３に記載の保管方法。
【請求項５】
コンピュータに組込むことによって、コンピュータを請求項１、または、請求項２に記載の保管システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、ＩＣカードを用いて施錠と開錠を行う保管庫のシステム、および、その方法に関するものである。
【０００２】
従来から、保管庫にある保管品の出庫管理が行われている。
【背景技術】
【０００３】
たとえば、特許文献１では、入場者に構成員識別コードを入力させることで、保管庫への入場が許可された入場者であることを識別する入場管理を行って、次に、入場者が保管品（事務用品）の出庫情報を入力することで、保管品の在庫管理を行う技術が開示されている。（従来技術１）
特許文献２では、未施錠を検知して、施錠を促す技術が開示されている。（従来技術２）
【特許文献１】特許第２７８０６８９号公報（５ページ、図２）
【特許文献２】特開平１１−２５０３７３号公報（２ページ、図１）
【発明の開示】
【発明が解決しようとする課題】
【０００４】
ところで、従来技術１では、保管品の利用者を特定して、保管品の出庫情報を把握することができないという問題点があった。また、保管品の出庫情報は、入場者による入力作業に依存しているので、正確な出庫情報が、把握できないという欠点があった。さらに、従来技術２では、ネットワーク構成をしないと未施錠管理が行えないという不具合があった。
【０００５】
本発明はこのような従来技術を考慮してなされたものであって、本発明の課題は、利用者が出庫した保管品情報を、正確に把握する保管庫のシステム、および、その方法を提供することである。
【課題を解決するための手段】
【０００６】
本発明は、以下のような解決手段により、前記課題を解決する。すなわち、請求項１の発明は、接触型の、または、非接触型のＩＣカードとＩＣカード開閉式保管庫とから構成される保管システムであって、前記ＩＣカードは、利用者識別情報と保管庫を特定する情報とを含み、開錠状態、または、施錠状態の一方を有する開閉データを記憶する記憶手段と、ＩＣカード開閉式保管庫から受信した開閉データ送信要求を受け付けて、記憶手段に記憶する開閉データを返信する開閉データ返信手段と、ＩＣカード開閉式保管庫から開閉データを受信する開閉データ受信手段と、前記受信した開閉データを用いて、記憶手段に記憶している開閉データを更新する開閉データ更新手段と、を備えるＩＣカードであって、前記ＩＣカード開閉式保管庫は、ＩＣカードに、開閉データ送信要求を発行する開閉データ送信要求手段と、ＩＣカードから、開閉データを受信する開閉データ受信手段と、前記ＩＣカードから受信した開閉データが施錠状態を有すれば、開錠する開錠手段と、前記受信した施錠状態の開閉データを用いて、開錠状態の開閉データを作成する開錠データ作成手段と、ＩＣカードに、前記作成した開閉データを送信する開閉データ送信手段と、施錠要求の入力を受け付ける施錠要求受付手段と、ＩＣカードから受信した開閉データが開錠状態を有すれば、施錠する施錠手段と、前記受信した開錠状態の開閉データを用いて、施錠状態の開閉データを作成する施錠データ作成手段と、を備える保管庫である、ことを特徴とする保管システムである。
【０００７】
ここで、開錠した保管庫を施錠しないと、別の保管庫を開錠することができないので、開錠された保管庫から保管品を出庫した利用者を特定することが可能となる。
【０００８】
請求項２の発明は、前記ＩＣカード開閉式保管庫は、ＩＣタグ識別情報を記憶するＩＣタグを有する保管品を保持して、保管庫を特定する情報と保管品識別情報とを含む保管データと、利用者識別情報と保管庫を特定する情報と保管品識別情報とを含む履歴データと、を記憶する記憶手段と、ＩＣカード開閉式保管庫内の保管品のＩＣタグが記憶するＩＣタグ識別情報を読み取るＩＣタグ読取手段と、保管データと前記読み取ったＩＣタグ識別情報とを用いて、履歴データを作成して、記録する履歴作成記録手段と、記憶手段に記憶されている保管データを削除して、読み取ったＩＣタグ識別情報を用いて作成した保管データを、記憶手段に記録する保管データ更新手段と、を備える保管庫である、ことを特徴とする請求項１に保管システムである。
【０００９】
そこで、履歴データを用いることで、保管品の利用者を特定して、保管品の出庫情報を正確に把握することが可能できる。そこで、たとえば、利用者別の保管品経費管理や、出庫した保管品の貸出管理などが可能となる。
【００１０】
請求項３の発明は、利用者識別情報と保管庫を特定する情報とを含み、開錠状態、または、施錠状態の一方を有する開閉データを用いる保管方法であって、開閉データ送信要求を発行して、開閉データを受け取る開閉データ受取ステップと、前記受け取られた開閉データが施錠状態を有すれば、開錠する開錠ステップと、前記受け取られた施錠状態の開閉データを用いて、開錠状態の開閉データを作成する開錠データ作成ステップと、前記作成された開閉データを用いて、前記記憶された開閉データを更新する開閉データ更新ステップと、施錠要求の入力を受け付ける施錠要求受付ステップと、受け取られた開閉データが開錠状態を有すれば、施錠する施錠ステップと、前記受け取られた開錠状態の開閉データを用いて、施錠状態の開閉データを作成する施錠データ作成ステップと、を含んだ手順でなされることを特徴とする保管方法である。
【００１１】
請求項４の発明は、ＩＣタグ識別情報を記憶するＩＣタグを有する保管品を用いる保管であって、保管庫を特定する情報と保管品識別情報とを含む保管データと、利用者識別情報と保管庫を特定する情報と保管品識別情報とを含む履歴データと、を用いる保管であって、前記保管品のＩＣタグが記憶するＩＣタグ識別情報を読み取るＩＣタグ読取ステップと、保管データと前記読み取ったＩＣタグ識別情報とを用いて、履歴データを作成して、記録する履歴作成記録ステップと、記憶されている保管データを削除して、前記読み取ったＩＣタグ識別情報を用いて作成した保管データを、記憶する保管データ更新ステップと、を含んだ手順でなされることを特徴とする請求項３に記載の保管方法である。
【００１２】
請求項５の発明は、コンピュータに組込むことによって、コンピュータを請求項１、または、請求項２に記載の保管システムとして動作させるコンピュータプログラムである。
【００１３】
請求項６の発明は、請求項５に記載のコンピュータプログラムを記録したコンピュータ読取り可能な記録媒体である。
【発明の効果】
【００１４】
本願発明によれば、保管品の利用者を特定して、保管品の出庫情報を把握することが可能である。また、保管品の正確な出庫情報を把握することが可能である。さらに、ネットワーク構成をしなくても、未施錠管理が可能である。
【発明を実施するための最良の形態】
【００１５】
（実施例）
以下、図面等を参照しながら、本発明の実施の形態について、更に詳しく説明する。
【００１６】
図１は、ＩＣタグを持つ保管品を用いた保管システム１の全体構成図である。保管システム１は、接触型、または、非接触型のＩＣカード１００と、ＩＣカード開閉式保管庫３００と、から、構成される。
【００１７】
ＩＣカード１００は、開閉データ１９９を記憶する。
【００１８】
開閉データ１９９は、保管庫が、開錠状態であるか、または、施錠状態であるかを示すデータである。開閉データ１９９は、利用者識別情報を含んでもよい。
【００１９】
ＩＣカード開閉式保管庫３００は、保管データ３９１と、履歴データ３９９と、を記憶する。また、ＩＣカード開閉式保管庫３００は、ＩＣタグを持った保管品７００を保持する。ＩＣタグは、ＩＣタグ識別情報を記憶する。また、ＩＣカード開閉式保管庫３００は、ＩＣカード読取書込装置を備える。
【００２０】
保管データ３９１は、保管庫が保持する保管品の保管品識別情報を含むデータである。履歴データ３９９は、保管庫が保持する保管品７００の出庫や、保管庫への保管品７００の返却を記録したデータである。
【００２１】
図２は、ＩＣタグを持つ保管品を用いた保管システム１の大まかな処理の流れを説明する図である。ＩＣカード開閉式保管庫３００は、ＩＣカード１００に、開閉データ送信要求を発行する（図２（ア））。
【００２２】
ＩＣカード１００は、ＩＣカード開閉式保管庫３００から受信した開閉データ送信要求を受け付けて、記憶する開閉データ１９９（＝施錠状態の開閉データ１９９）を返信する（同（イ））。
【００２３】
ＩＣカード開閉式保管庫３００は、ＩＣカード１００から、開閉データ１９９（＝施錠状態の開閉データ１９９）を受信する（同（ウ））。
【００２４】
ＩＣカード開閉式保管庫３００は、ＩＣカード１００から受信した開閉データ１９９が施錠状態であれば、開錠する。このとき、開閉データ１９９の利用者識別情報を用いて、利用者認証を行ってもよい。次に、前記受信した施錠状態の開閉データ１９９を用いて、開錠状態の開閉データ１９９を作成して、これを、ＩＣカード１００に、送信する（同（エ））。
【００２５】
なお、開閉データ１９９が開錠状態であれば、別のＩＣカード開閉式保管庫３００が開錠されたままであることを、意味している。そこで、開閉データ１９９が開錠状態であれば、このＩＣカード開閉式保管庫３００を開錠しないで、動作を終了する。したがって、開錠状態の開閉データ１９９を、ＩＣカード１００に、送信することは無い。このとき、未施錠状態の保管庫名を表示してもよい。
【００２６】
ＩＣカード１００は、ＩＣカード開閉式保管庫３００から、開閉データ１９９（＝開錠状態の開閉データ１９９）を受信して、これを用いて、記憶している開閉データ１９９を、更新する（同（オ））。
【００２７】
ＩＣカード開閉式保管庫３００は、保管品７００のＩＣタグの識別情報を読み取って、保管データ３９１との差分から、保管品７００の出庫や返却を検知して、履歴データ３９９を作成して、記録する。読み取ったＩＣタグの識別情報を用いて、保管データ３９１の内容を更新する。（同（カ））。
【００２８】
なお、ＩＣカード開閉式保管庫３００の開錠時刻や施錠時刻を含む履歴データ３９９を記録してもよい。
【００２９】
ＩＣカード開閉式保管庫３００は、施錠要求の入力を受け付けて、ＩＣカード１００に、開閉データ送信要求を発行する（同（サ））。
【００３０】
ＩＣカード１００は、ＩＣカード開閉式保管庫３００から受信した開閉データ送信要求を受け付けて、記憶する開閉データ１９９（＝開錠状態の開閉データ１９９）を返信する（同（シ））。
【００３１】
ＩＣカード開閉式保管庫３００は、ＩＣカード１００から、開閉データ１９９（＝開錠状態の開閉データ１９９）を受信する（同（ス））。
ＩＣカード開閉式保管庫３００は、ＩＣカード１００から受信した開閉データ１９９が開錠状態であれば、施錠する。次に、前記受信した開錠状態の開閉データ１９９を用いて、施錠状態の開閉データ１９９を作成して、これを、ＩＣカード１００に、送信する（同（セ））。
【００３２】
ＩＣカード１００は、ＩＣカード開閉式保管庫３００から、開閉データ１９９（＝施錠状態の開閉データ１９９）を受信して、これを用いて、記憶している開閉データ１９９を、更新する（同（ソ））。
【００３３】
このように、利用者は、開錠したＩＣカード開閉式保管庫３００を施錠しないと、別のＩＣカード開閉式保管庫３００を開錠できないので、ＩＣカード開閉式保管庫から出庫した保管品の利用者や、ＩＣカード開閉式保管庫に返却した保管品の利用者を特定して、履歴データ３９９を作成記録することができる。
【００３４】
図３は、開閉データ１９９の形式と例を説明する図である。開閉データ１９９は、利用者識別情報と、保管庫を特定する情報と、保管庫の状態と、から構成される。利用者識別情報は、利用者を識別するユニークな文字列である。保管庫を特定する情報は、保管庫を特定する文字列である。保管庫の状態は、「開錠」、または、「施錠」が記録される。
【００３５】
図３には、開錠状態の開閉データとして、利用者識別情報が「ID123456」、保管庫を特定する情報が「HOKANNKO-001」、保管庫の状態が「開錠」である開閉データが、例示されている。
【００３６】
また、施錠状態の開閉データとして、利用者識別情報が「ID123456」、保管庫を特定する情報が「空白」、保管庫の状態が「施錠」である開閉データが、例示されている。
【００３７】
図４は、保管データ３９１の形式を説明する図である。保管データ３９１の項目は、保管庫を特定する情報と、保管品識別情報と、から構成される。保管庫を特定する情報の定義は、図３の開閉データ１９９の保管庫を特定する情報と同じである。保管品識別情報は、保管品を識別するユニークな文字列である。
【００３８】
図４には、保管庫を特定する情報が「HOKANNKO-001」、保管品識別情報が、「HG48690-6」である保管データ３９１が、例示されている。
【００３９】
また、保管庫を特定する情報が「HOKANNKO-001」、保管品識別情報が、「NF67487-4」である保管データ３９１が、例示されている。
【００４０】
図５は、履歴データ３９９の形式を説明する図である。履歴データ３９９の項目は、利用者識別情報と、保管庫を特定する情報と、保管品識別情報と、操作情報と、時刻情報と、から構成される。利用者識別情報と、保管庫を特定する情報と、の定義は、図３の開閉データ１９９の利用者識別情報と、保管庫を特定する情報と、同じである。保管品識別情報の定義は、図４の保管データ３９１の保管品識別情報と、同じである。時刻情報は、日時と時刻である。操作情報は、「開錠受付」、または、「施錠受付」、または、「保管品の出庫」、または、「保管品の返却」が記録される。
【００４１】
図５には、利用者識別情報が「ID123456」、保管庫を特定する情報が「HOKANNKO-001」、操作情報が、「開錠受付」、時刻情報が「2006/04/20  15:20」である履歴データ３９９が、例示されている。
【００４２】
また、利用者識別情報が「ID123456」、保管庫を特定する情報が「HOKANNKO-001」、保管品識別情報が、「PU49706-3」、操作情報が、「保管品の出庫」、時刻情報が「2006/04/20  15:21」である履歴データ３９９が、例示されている。
【００４３】
図６は、履歴データ作成手順の説明図である。ＩＣカード開閉式保管庫内の保管品のＩＣタグ識別情報を、すべて、読み取る（図６（１））。ＩＣタグ識別情報と保管データの保管品識別情報とを比較する（同（２））。保管品識別情報と一致するものが無いＩＣタグ識別情報があれば、操作情報が「保管品の返却」である履歴データを作成する（同（３））。ＩＣタグ識別情報と一致するものが無い保管品識別情報があれば、操作情報が「保管品の出庫」である履歴データを作成する（同（４））。
【００４４】
図７は、保管システム１の詳細な構成図である。保管システム１は、ＩＣカード１００と、ＩＣタグ識別情報を記憶するＩＣタグを持った保管品を保持するＩＣカード開閉式保管庫３００と、が、有線接続または、無線接続されて、構成される。
【００４５】
ＩＣカード１００は、開閉データ返信手段１２０と、開閉データ受信手段１６０と、開閉データ更新手段１１０と、記憶手段１９０と、を備える。記憶手段１９０は、開閉データ１９９を、記憶する。
【００４６】
開閉データ１９９は、利用者識別情報と保管庫を特定する情報とを含み、開錠状態、または、施錠状態の一方を有するデータである。
【００４７】
開閉データ返信手段１２０は、ＩＣカード開閉式保管庫３００から受信した開閉データ送信要求を受け付けて、記憶手段１９０に記憶する開閉データ１９９を返信する。開閉データ受信手段１６０は、ＩＣカード開閉式保管庫３００から、開閉データ１９９を受信する。
開閉データ更新手段１１０は、前記受信した開閉データ１９９を用いて、記憶手段１９０に記憶している開閉データ１９９を更新する。
【００４８】
ＩＣカード開閉式保管庫３００は、施錠要求受付手段３１５と、開閉データ送信要求手段３２０と、開閉データ受信手段３３０と、開錠手段３４０と、施錠手段３４５と、開錠データ作成手段３５０と、施錠データ作成手段３５５と、開閉データ送信手段３６０と、ＩＣタグ読取手段３７０と、履歴作成手段３５７と、履歴記録手段３８０と、保管データ更新手段３８５と、記憶手段３９０と、を備える。記憶手段３９０は、保管データ３９１と、履歴データ３９９と、を記憶する。
【００４９】
保管データ３９１は、保管庫を特定する情報と保管品識別情報とを含むデータである。履歴データ３９９は、利用者識別情報と保管庫を特定する情報と保管品識別情報とを含むデータである。
【００５０】
開閉データ送信要求手段３２０は、ＩＣカード１００に、開閉データ送信要求を発行する。開閉データ受信手段３３０は、ＩＣカード１００から、開閉データ１９９を受信する。
【００５１】
開錠手段３４０は、前記ＩＣカード１００から受信した開閉データ１９９が施錠状態であれば、開錠する。開錠データ作成手段３５０は、前記受信した施錠状態の開閉データ１９９を用いて、開錠状態の開閉データ１９９を作成する。
【００５２】
施錠要求受付手段３１５は、施錠要求の入力を受け付ける。施錠手段３４５は、ＩＣカード１００から受信した開閉データ１９９が開錠状態であれば、施錠する。施錠データ作成手段３５５は、前記受信した開錠状態の開閉データ１９９を用いて、施錠状態の開閉データを作成する。
【００５３】
開閉データ送信手段３６０は、ＩＣカード１００に、作成した開閉データ１９９を送信する。
【００５４】
ＩＣタグ読取手段３７０は、所定の時間が経過したら、ＩＣカード開閉式保管庫内の保管品が有するＩＣタグが記憶するＩＣタグ識別情報を読み取る。
【００５５】
履歴作成手段３５７は、前記読み取った保管品のＩＣタグ識別情報と、保管データの保管品識別情報とを比較して、履歴データ３９９を作成する。履歴記録手段３８０は、記憶手段３９０に、前記作成した履歴データ３９９を、記録する。
【００５６】
保管データ更新手段３８５は、記憶手段３９０に記憶されている保管データ３９１を削除して、読み取ったＩＣタグ識別情報を用いて作成した保管データ３９１を、記憶手段３９０に記録する。
【００５７】
開閉データ返信手段１２０と、開閉データ受信手段１６０と、開閉データ更新手段１１０と、開閉データ送信要求手段３２０と、開閉データ受信手段３３０と、開錠手段３４０と、開閉データ作成手段３５０と、開閉データ送信手段３６０と、施錠要求受付手段３１５と、施錠手段３４５と、施錠データ作成手段３５５と、履歴作成手段３５７と、履歴記録手段３８０と、ＩＣタグ読取手段３７０と、保管データ更新手段３８５と、は、コンピュータプログラムである。開閉データ１９９と、保管データ３９１と、履歴データ３９９と、は、コンピュータプログラムが可読なデータである。記憶手段１９０と、記憶手段３９０と、は、メモリである。
【００５８】
以上詳しく説明したように、本願発明によれば、保管品の利用者を特定して、保管品の出庫情報を把握することができた。また、保管品の正確な出庫情報を把握することができた。さらに、ネットワーク構成をしなくても、未施錠管理ができた。
【図面の簡単な説明】
【００５９】
【図１】ＩＣタグを持つ保管品を用いた保管システム１の全体構成図
【図２】ＩＣタグを持つ保管品を用いた保管システム１の大まかな処理の流れ
【図３】開閉データ１９９の形式と例
【図４】保管データ３９１の形式と例
【図５】履歴データ３９９の形式
【図６】履歴データ３９９の作成手順
【図７】ＩＣタグを持つ保管品を用いた保管システム１の詳細な構成図
【符号の説明】
【００６０】
１  ＩＣカードを用いる保管システム
１１０  開閉データ更新手段
１２０  開閉データ返信手段
１６０  開閉データ受信手段
１９０  記憶手段
１９９  開閉データ
３１５  施錠要求受付手段
３２０  開閉データ送信要求手段
３３０  開閉データ受信手段
３４０  開錠手段
３４５  施錠手段
３５０  開閉データ作成手段
３５５  施錠データ作成手段
３６０  開閉データ送信手段
３８０  履歴作成手段
３９０  記憶手段
３９１  保管データ
３９９  履歴データ
７００  保管品
【図１】
2007303136.tif 000003
【図２】
2007303136.tif 000004
【図３】
2007303136.tif 000005
【図４】
2007303136.tif 000006
【図５】
2007303136.tif 000007
【図６】
2007303136.tif 000008
【図７】
2007303136.tif 000009